【手続補正書】
【提出日】平成20年3月12日(2008.3.12)
【手続補正１】
【補正対象書類名】明細書
【補正対象項目名】特許請求の範囲
【補正方法】変更
【補正の内容】
【特許請求の範囲】
【請求項１】  金属粒子含有化合物、金属イオン含有化合物、金属イオン生成化合物、およびこれらの任意の組合せからなる群から選択される化合物を含んでなる仕上剤；および
糸、個々の繊維からなる生地、およびフィルムからなる群から選択される基材；
を含んでなる処理された基材であって、
該仕上剤が、該基材の表面の少なくとも一部分に付着し；
該処理された基材の少なくとも一部分が、ＡＡＴＣＣ試験法１３０-１９８１の洗濯手順によって行われる１０回の洗濯後に、少なくとも約３０％の付着仕上剤を保持し；
該処理された基材が非導電性であり；
該仕上剤が抗微生物特性を示す；
ものである処理された基材。
【請求項２】  請求項１に記載の処理された基材の製造方法であって、下記の工程を含んでなる方法：
(a) 基材を供給する工程；
(b) 仕上剤組成物を供給する工程；
(c) 該仕上剤組成物を、該基材の少なくとも一部分に適用する工程；および
(d) 工程(c)の少なくとも処理された基材部分を、結合剤配合物で被覆する工程。
【請求項３】  請求項１に記載の被覆された基材の製造方法であって、下記の工程を含んでなる方法：
(a) 基材を供給する工程；
(b) 結合剤をも含んでなる仕上剤組成物を供給する工程；
(c) 該仕上剤組成物を、該基材の少なくとも一部分に適用する工程。
【請求項４】  金属粒子含有化合物、金属イオン含有化合物、およびこれらの任意の組合せからなる群から選択される金属含有化合物を含んでなる非導電性処理剤；および
糸、個々の糸からなる生地、およびフィルムからなる群から選択される基材；
を含んでなる処理された基材であって、
該化合物が、該基材の表面の少なくとも一部分に付着し；
該処理された基材が、ＡＡＴＣＣ試験法１３０-１９８１の一部としての洗濯手順によって行われる少なくとも１０回の洗濯後に、ＡＡＴＣＣ試験法１００-１９９３によって２４時間の暴露で試験した場合に、少なくとも１.５の黄色ブドウ球菌に対する対数殺菌率および少なくとも１.５の肺炎桿菌に対する対数殺菌率を示す；
ものである処理された基材。
【請求項５】  請求項４に記載の処理された基材の製造方法であって、下記の工程を含んでなる方法：
(a) 基材を供給する工程；
(b) 仕上剤組成物を供給する工程；
(c) 該仕上剤組成物を、該基材の少なくとも一部分に適用する工程；および
(d) 工程(c)の少なくとも処理された基材部分を、結合剤配合物で被覆する工程。
【請求項６】  請求項４に記載の被覆された基材の製造方法であって、下記の工程を含んでなる方法：
(a) 基材を供給する工程；
(b) 結合剤をも含んでなる仕上剤組成物を供給する工程；
(c) 該仕上剤組成物を、該基材の少なくとも一部分に適用する工程。
【請求項７】  銀含有イオン交換樹脂、銀含有ゼオライト、銀含有ガラス、およびこれらの任意の混合物からなる群から選択される化合物を含んでなる抗微生物銀仕上剤；および
糸、個々の繊維からなる生地、およびフィルムからなる群から選択される基材；
を含んでなる処理された基材であって、
該仕上剤が、該基材の表面の少なくとも一部分に存在し；
該処理された基材の少なくとも一部分が、ＡＡＴＣＣ試験法１３０-１９８１の洗濯手順によって該基材を少なくとも１０回洗濯した後に、ＡＡＴＣＣ試験法１００-１９９３によって２４時間の暴露の際に、それぞれ少なくとも１.５の肺炎桿菌および黄色ブドウ球菌に対する対数殺菌率を示す；
ものである処理された基材。
【請求項８】  請求項７に記載の被覆された基材の製造方法であって、下記の工程を含んでなる方法：
(a) 基材を供給する工程；
(b) 仕上剤組成物を供給する工程；
(c) 該仕上剤組成物を、該基材の少なくとも一部分に適用する工程；および
(d) 該仕上された基材部分を、結合剤配合物で被覆する工程。
【請求項９】  請求項７に記載の被覆された基材の製造方法であって、下記の工程を含んでなる方法：
(a) 基材を供給する工程；
(b) 結合剤をも含んでなる仕上剤組成物を供給する工程；
(c) 工程(b)の組成物を、該基材の少なくとも一部分に適用する工程。
【請求項１０】  金属粒子、金属塩、金属酸化物、およびこれらの任意の組合せからなる群から選択される固体化合物を含んでなる仕上剤；および
糸、個々の繊維からなる生地、およびフィルムからなる群から選択される基材；
を含んでなる処理された基材であって、
該仕上剤が、該基材の表面の少なくとも一部分に付着し；
該仕上剤が、ＡＡＴＣＣ試験法１３０-１９８１の洗濯手順によって行われる１０回の洗濯後に、洗濯手順を行う前に該基材の表面の少なくとも一部分に存在する該仕上剤の量の少なくとも３０％の量で、該基材の表面の少なくとも一部分に一体的に保持される；
ものである処理された基材。
【請求項１１】  金属粒子、金属塩、金属酸化物、およびこれらの任意の組合せからなる群から選択される固体化合物を含んでなる仕上剤；および
糸、個々の繊維からなる生地、およびフィルムからなる群から選択される基材；
を含んでなる処理された基材であって、
該仕上剤が、該基材の表面の少なくとも一部分に付着し；
該処理された基材の少なくとも一部分が、ＡＡＴＣＣ試験法１３０-１９８１の洗濯手順によって行われる１０回の洗濯後に、少なくとも１.５の黄色ブドウ球菌に対する対数殺菌率および少なくとも１.５の肺炎桿菌に対する対数殺菌率を示す；
ものである処理された基材。
【請求項１２】  耐洗濯性の抗微生物仕上剤で処理された糸であって、下記の逐次工程を含む高圧法によって処理された糸：
(a) 糸のスプールを供給する工程：
(b) 固体抗微生物化合物および任意に結合剤物質の分散液を含んでなる配合物を供給する工程；
(c) 該糸のスプールを、該染浴配合物に入れる工程；および
(d) 約２５℃〜約３２５℃の温度、約０.１〜１００ポンド／平方インチの圧力で、約５秒〜約５時間にわたって、該糸のスプールに該配合物を注入する工程。
【請求項１３】  抗微生物特性を示す糸の製造方法であって、下記の工程を含んでなる方法：
(a) 糸のスプールを供給する工程：
(b) 固体抗微生物化合物の分散液を含んでなる配合物を供給する工程；
(c) 該糸のスプールを、該染浴配合物に入れる工程；
(d) 約２５℃〜約３２５℃の温度、約０.１〜１００ポンド／平方インチの圧力で、約５秒〜約５時間にわたって、該糸のスプールに該染浴配合物を注入する工程；
(e) 該糸を複数の他の糸と組み合わせて、編織生地を形成する工程；および
(f) 工程(e)の編織生地内の該糸の少なくとも一部分を結合剤樹脂で被覆する工程。
【請求項１４】  生地；および
該生地の少なくとも一部分に適用された仕上剤；
を含んでなる処理された生地材料であって、
該仕上剤が、少なくとも１つの臭気中和物質および少なくとも１つの親水性物質を含んでなり；
該処理された生地物品が、ＡＡＴＣＣ試験法１３０-１９８１による少なくとも１０回の洗濯の際に持続する臭気中和特性および水分吸上特性の両方を示す；
ものである処理された生地材料。
【請求項１５】  耐洗濯性の臭気中和特性および水分吸上特性を示す生地物品であって、該特性が、ＡＡＴＣＣ試験法１３０-１９８１の洗濯手順によって行ったときに、少なくとも１０回の洗濯まで存在する生地物品。